(57)【要約】【課題】ユーザに手間を掛けることなく三者通話を開始できるようにする。【解決手段】所定の基地局と無線通信を行う第１の無線通信部１３と、近距離無線通信を介して他の無線通信端末１とデータの送受信を行う第２の無線通信部２１とを備える。そして、他の無線通信端末１との通話中に、他の無線通信端末とは異なる第２の無線通信端末１の存在を検知した場合に、第２の無線通信端末１からの発呼を要求するコール要求を生成して第２の無線通信部２１に供給する。また、コール要求に呼応して行われた第２の無線通信端末１からの発呼を受信した場合には、三者通信モードへの切り替え要求を基地局に送信する。【選択図】図１
2010206295.tif 000002
【特許請求の範囲】
【請求項１】
所定の基地局と無線通信を行う第１の無線通信部と、
近距離無線通信を介して他の無線通信端末とデータの送受信を行う第２の無線通信部と、
前記他の無線通信端末との通話中に、前記他の無線通信端末とは異なる第２の無線通信端末の存在を検知した場合に、前記第２の無線通信端末からの発呼を要求するコール要求を生成して前記第２の無線通信部に供給し、前記コール要求に呼応して行われた前記第２の無線通信端末からの発呼を受信した場合には、三者通信モードへの切り替え要求を前記基地局に送信する制御部とを備えた
無線通信端末。
【請求項２】
前記コール要求及び前記コール応答には、当該データの生成元の無線通信端末の電話番号が含まれる
請求項１記載の無線通信端末。
【請求項３】
前記制御部は、前記コール要求を受信した場合には前記コール要求中に含まれる電話番号を抽出して記憶するとともに、前記電話番号を使用した呼び出しを行う
請求項２記載の無線通信端末。
【請求項４】
前記制御部は、前記コール応答を受信した場合には前記コール応答中に含まれる電話番号を抽出して記憶するとともに、前記記憶後に呼を着信した場合には前記呼の電話番号と前記記憶済みの電話番号とを照会し、両電話番号が一致していた場合に、前記三者モードへの切り替え要求を行う
請求項３記載の無線通信端末。
【請求項５】
文字又は画像を表示する表示部を備え、
前記制御部は、前記第２の無線通信端末からの呼を着信した場合に、前記呼を受理するか否かをユーザに選択させるための選択肢を前記表示部に表示させる
請求項４記載の無線通信端末。
【請求項６】
他の無線通信端末との通話中に、前記他の無線通信端末とは異なる第２の無線通信端末の存在を検知した場合に、前記第２の無線通信端末からの発呼を要求するコール要求を生成して前記第２の無線通信端末に送信するステップと、
前記コール要求に呼応して行われた前記第２の無線通信端末からの発呼を受信した場合には、三者通信モードへの切り替え要求を前記基地局に送信するステップとを含む
無線通信方法。
【発明の詳細な説明】
【技術分野】
【０００１】
本発明は、無線通信端末及び無線通信方法に関し、特にＮＦＣ（Near Field Communication）等の近距離無線通信規格によって他の無線通信端末と無線で通信する無線通信端末及びその無線通信方法に関する。
【背景技術】
【０００２】
従来、携帯電話端末の各通信事業者によって、三者が同時に通話可能な三者通話のサービスが提供されている。例えば二者が既に通話中の場合で、さらに別の人も加えて三者通話を開始させたい場合は、三者通話を開始させたいユーザが三人目のユーザの電話番号を入力して通話ボタンを押す等の操作を行うことにより、三者通話を開始させることができる。そして三者通話は、３つの携帯電話端末がそれぞれ基地局と通信を行うことにより実現される。
【０００３】
このため、例えば通話を開始させたい三人目のユーザが、通話中の二者と非常に近い位置に存在する場合にも、三者通話を開始させるには上述した手順を踏む必要があり、手間がかかるという問題があった。
【０００４】
このような問題を解決する手法として、例えば特許文献１には、ブルートゥース（登録商標）による無線通信を介して三者通話を行う技術が記載されている。
【先行技術文献】
【特許文献】
【０００５】
【特許文献１】特開２００３−９２７８５号公報
【発明の概要】
【発明が解決しようとする課題】
【０００６】
特許文献１に記載の技術によれば、相手の端末のＩＤを指定することによってブルートゥース通信を介して相手の端末の呼び出しが行われるようになる。ところが、この手法においても、三者通話を開始させるには相手の端末のＩＤを指定する手順を省くことはできない。つまり、三者通話開始時にユーザにかかる手間は軽減されないという問題があった。
【０００７】
本発明はかかる点に鑑みてなされたものであり、ユーザに手間を掛けることなく三者通話を開始できるようにすることを目的とする。
【課題を解決するための手段】
【０００８】
本発明は、所定の基地局と無線通信を行う第１の無線通信部と、近距離無線通信を介して他の無線通信端末とデータの送受信を行う第２の無線通信部とを備える。そして、他の無線通信端末との通話中に、他の無線通信端末とは異なる第２の無線通信端末の存在を検知した場合に、第２の無線通信端末からの発呼を要求するコール要求を生成して第２の無線通信部に供給する。また、コール要求に呼応して行われた第２の無線通信端末からの発呼を受信した場合には、三者通信モードへの切り替え要求を基地局に送信するようにした。
【発明の効果】
【０００９】
このようにしたことで、無線通信端末間で近距離無線通信を介して三者通話に必要な情報がやりとりされ、三者通話モードへの切り替え要求が基地局に送信されるため、ユーザは無線通信端末を近接させる処理を行うだけで容易に三者通話を開始させることができるようになる。
【図面の簡単な説明】
【００１０】
【図１】本発明の概念を示す説明図である。
【図２】本発明の一実施の形態による携帯電話端末の内部構成例を示すブロック図である。
【図３】本発明の一実施の形態によるＮＦＣ通信回路の機能を示すブロック図である。
【図４】本発明の一実施の形態による各携帯電話端末と基地局での処理の例を示すシーケンス図である。
【図５】本発明の一実施の形態によるコール要求及びコール応答の構成例を示す説明図である。
【図６】本発明の一実施の形態による三者通話への参加要請側の携帯電話端末における処理の例を示すフローチャートである。
【図７】本発明の一実施の形態による三者通話への参加の要請を受けた側の携帯電話端末における処理の例を示すフローチャートである。
【図８】本発明の他の実施例による三者通話への参加要請側の携帯電話端末での表示画面の例を示す説明図である。
【発明を実施するための形態】
【００１１】
以下、本発明の一実施の形態の例（以下、本例とも称する）を、添付図面を参照して説明する。
本実施の形態においては、本発明の無線通信端末を、ＮＦＣ（Near Field Communication）によって他の端末と無線通信を行う携帯電話端末に適用している。
【００１２】
［携帯電話端末の構成例］
図１は、本例の概要を説明する図である。図１（ａ）には、携帯電話端末ＡのユーザＵａと携帯電話端末ＢのユーザＵｂ（ユーザＵａ，Ｕｂともに図示略）とが通話状態にあり、携帯電話端末Ｂの近くに携帯電話端末Ｃ（を所持したユーザＵｃ；図示略）が位置している様子が示されている。ここで、ユーザＵｂが携帯電話端末ＣのユーザＵｃも含めて三者通話によって通話をしたいと考えた場合、図１（ｂ）に示すように、ユーザＵｂは自分の携帯電話端末ＢをユーザＵｃの携帯電話端末Ｃと接触（あるいは近接）させる。
【００１３】
このとき、携帯電話端末Ｂと携帯電話端末Ｃとの間でＮＦＣによる通信が行われ、コール要求及びコール応答等の情報がやりとりされることで、図１（ｃ）に示すように、携帯電話端末Ｃから携帯電話端末Ｂに対して電話が掛けられる。これにより、携帯電話端末Ａと携帯電話端末Ｂと携帯電話端末Ｃとの間で三者通話が開始される。コール要求とは、相手の携帯電話端末に発呼を要求するデータであり、コール応答とは、コール要求に対する応答データである。これらのデータに基づいて携帯電話端末内の後述する制御部で三者通話への切り替え制御が行われる。すなわち、三者通話への切り替え要求が基地局に送信される。コール要求及びコール応答の詳細については後述する。
【００１４】
図２は、本例の携帯電話端末（以下、単に端末とも称する）の構成例を示したブロック図である。図２に示す構成は、図１に示した携帯電話端末Ａ〜携帯電話端末Ｃのいずれにおいても共通しているものとする。図２に示した携帯電話端末１の構成について説明すると、無線通信用の構成としては、２つの無線通信部を備える。即ち、無線電話用の基地局と無線通信を行うための第１の無線通信部である、無線電話用通信回路１３と、この端末１の近隣の端末と無線通信を行うための第２の無線通信部である、ＮＦＣ通信回路２１とを備える。無線電話用通信回路１３には、アンテナ１１が接続してあり、ＮＦＣ通信回路２１には、アンテナ２２が接続してある。
【００１５】
無線電話用通信回路１３，ＮＦＣ通信回路２１での無線通信は、この携帯電話端末１の制御部１２内の通信制御部１２２の制御で実行される。基地局との無線接続などの処理も、通信制御部１２２が制御する。また制御部１２にはアプリケーション制御部１２１も含まれており、アプリケーション制御部１２１は、制御ライン２５を介して携帯電話端末１内の各部と制御信号やデータのやりとりを行うとともに、無線通信以外の端末内の各機能の制御を行う。アプリケーション制御部１２１は、コール要求やコール応答の生成も行う。なお、本例では制御部１２をアプリケーション制御部１２１と通信制御部１２２とで構成しているが、これに限定されるものではなく、これらを一体として構成するようにしてもよい。
【００１６】
無線電話用通信回路１３は、受信したパケット内に音声データが含まれる場合にはその音声データを取出して、データライン２６を介して音声処理部２０に供給する。音声処理部２０では、供給された音声データをアナログ音声信号に復調し、復調されたアナログ音声信号をスピーカ１８に供給して、スピーカ１８から音声を出力させる。
【００１７】
また携帯電話端末１は、音声が入力されるマイクロフォン１９を備える。マイクロフォン１９で拾った音声信号は音声処理部２０に出力され、音声処理部２０によって、送信用の音声データに変調される。変調された音声データは、無線電話用通信回路１３に供給される。無線電話用通信回路１３では、供給される音声データを基地局に送信するパケット内に配置する処理を行うとともに、処理後の音声パケットを、アンテナ１１を通して無線送信する。
【００１８】
また携帯電話端末１は、液晶表示パネルなどで構成される表示部１４を備え、制御部１２の制御で、各種情報の表示を行う。ここでの表示としては、電話の発信や着信に関する表示、電話帳やメールアドレスリストなどの登録された情報の表示、受信メールや送信メールの表示、インターネットに接続してダウンロードした画像の表示などがある。
【００１９】
また携帯電話端末１は操作部１５を備え、操作部１５での操作に基づいて、制御部１２が各種処理を行う。例えば、無線電話通信による発信や、メールの送受信、インターネットへのアクセスなどのデータ通信の開始や終了などが、操作部１５として用意されたキーなどが操作されることで実行される。
【００２０】
また、制御ライン２５及びデータライン２６には記憶部１６が接続してあり、例えば外部から受信して記憶する必要のあるデータが、記憶部１６に記憶される。また、制御部１２での制御処理に必要なプログラムについても、記憶部１６に記憶される。
【００２１】
ＮＦＣ通信回路２１は、ＮＦＣ通信規格に準拠した無線通信方式で、他の携帯電話端末１や端末装置とデータ通信を行う回路である。他の端末とのデータの送受信は、例えばＮＦＣのピアツーピアモードによって行うものとする。
【００２２】
また携帯電話端末１には、アダプタとしてのカードＩ／Ｆ部２３に、ＳＩＭ（Subscriber Identity Module）カード２４が挿入されている。ＳＩＭカード２４内には、携帯電話端末１の所有者（ユーザ）の識別情報や、電話番号等の情報が記憶されている。ＳＩＭカード２４に対するデータの読み書きは、制御部１２やＮＦＣ通信回路２１によって行われる。
【００２３】
次に、ＮＦＣ通信回路２１の機能の詳細について、図３を参照して説明する。図３には、ＮＦＣ通信回路２１が、制御部１２内のアプリケーション制御部１２１及びＳＩＭカード２４と接続されている状態が示されている。
【００２４】
ＮＦＣ通信回路２１は、アンテナ２２を介して受信したデータを、アプリケーション制御部１２１やＳＩＭカード２４に供給したり、反対にこれらから出力されたデータをアンテナ２２に供給する。またＮＦＣ通信回路２１は、制御信号を生成してアプリケーション制御部１２１に供給することも行う。
【００２５】
アプリケーション制御部１２１への制御信号の供給は、例えばアプリケーション制御部１２１のＧＰＩＯ（General Purpose Input/Output）インタフェースを通して行われ、データの供給はＳＰＩ（Serial Peripheral Interface）を通して行われる。
【００２６】
［携帯電話端末の動作例］
【００２７】
次に、三者通話を開始させる場合の携帯電話端末１の動作の例について、図４のシーケンス図を参照して説明する。図４において図１と対応する箇所には同一の符号を付してある。すなわち図４は、携帯電話端末Ａと携帯電話端末Ｂとが既に通話中であるときに、携帯電話端末Ｂと近接する位置にいる携帯電話端末ＣのユーザＵｃを三者通話に参加させる場合の処理の例を示すものである。
【００２８】
まず、携帯電話端末Ａと通話中の携帯電話端末ＢのユーザＵｂが、携帯電話端末Ｂを携帯電話端末Ｃに接触させると（ステップＳ１）、ＮＦＣ通信回路２１（図１参照）の制御によって２端末間でＮＦＣでの通信が確立され、ＮＦＣを介して携帯電話端末Ｂから携帯電話端末Ｃにコール要求が送信される（ステップＳ２）。
【００２９】
コール要求は、三者通話への参加を要請するためのものであり、図５（ａ）に示すように、このデータがコール要求であることを示す“Type：Call request”の情報と、依頼側（携帯電話端末Ｂ）の電話番号とが記述されている。
【００３０】
図４のステップＳ２で送信されたコール要求を受信した携帯電話端末Ｃでは、コール要求中に記載された電話番号が記憶（保存）されるとともに（ステップＳ３）コール応答が生成され、携帯電話端末Ｂに返信される（ステップＳ４）。
【００３１】
コール応答には、図５（ｂ）に示すように、このデータがコール応答であることを示す“Type：Call request confirmation”の情報と、依頼の受け側である携帯電話端末Ｃの電話番号とが含まれる。
【００３２】
コール応答を受信した携帯電話端末Ｂでは、コール応答中に記載された電話番号が抽出され、記憶（保存）される（ステップＳ５）。一方、携帯電話端末Ｃでは、ステップＳ３で記憶した電話番号に基づいて、携帯電話端末Ｂに対して自動的に電話が掛けられ（ステップＳ６）、基地局に対する発信が行われる（ステップＳ７）。
【００３３】
基地局において通信回線の設定等が行われると、携帯電話端末Ｂに対して呼び出しが行われる（ステップＳ８）。そして、携帯電話端末Ｂにおいて、着呼した電話番号と記憶済みの電話番号が一致するか否かの照合が行われ（ステップＳ９）、照合された場合は着信が受理される（ステップＳ１０）。着呼が受理された後にはＮＦＣ通信回路２１によって三者通話モードへの移行処理が行われ（ステップＳ１１）、携帯電話端末Ａと携帯電話端末Ｂと携帯電話端末Ｃとによる三者通話が開始される。
【００３４】
次に、図６と図７のフローチャートを参照して、三者通話の要求側である携帯電話端末Ｂと、被要求側である携帯電話端末Ｃでの処理の詳細について説明する。まず、図６を参照して、三者通話の要求側である携帯電話端末Ｂでの処理の例について説明する。
【００３５】
携帯電話端末Ｂでは、携帯電話端末Ｃとの接触があったか否かが判断され（ステップＳ２１）、接触がない場合、すなわち携帯電話端末Ｃとの間でＮＦＣの通信が行えない状態である間は、ステップＳ２１の判断が繰り返される。携帯電話端末Ｃとの接触があり、携帯電話端末Ｃの発する電波を確認できた場合には、ＮＦＣによる通信を介して、携帯電話端末Ｃにコール要求が送信される（ステップＳ２２）。
【００３６】
続いて、携帯電話端末Ｃから送られたコール応答を受信したか否かが判断され（ステップＳ２３）、コール応答を受信していない間はこの判断が続けられる。コール応答を受信した場合には、コール応答に含まれる携帯電話端末Ｃの電話番号が抽出され、記憶される（ステップＳ２４）。
【００３７】
さらに、携帯電話端末Ｃからの呼び出しを受信したか否かが判断され（ステップＳ２５）、受信するまでの間は待機状態となる。携帯電話端末Ｃからの呼び出しを受信すると、コール応答中に含まれる電話番号と、ステップＳ２４で記憶した電話番号との照合が行われる（ステップＳ２７）。照合の結果、電話番号が一致しなかった場合には、通話中に着信があった場合における通常と同様の処理が行われる（ステップＳ２８）。
【００３８】
照合の結果、電話番号が一致した場合には、ＮＦＣ通信回路２１の制御によって三者通話モードへの移行処理が行われ、基地局との通信を通して三者通話が開始される。
【００３９】
次に、図７を参照して、三者通話の被要求側である携帯電話端末Ｃでの処理の詳細について説明する。携帯電話端末Ｃでは、携帯電話端末Ｂとの接触をトリガに行われたＮＦＣによる通信を通して、携帯電話端末Ｂからのコール要求を受信したか否かの判断が行われる（ステップＳ３１）。次に、コール要求中に含まれる携帯電話端末Ｂの電話番号の抽出及び記憶が行われ（ステップＳ３２）、アプリケーション制御部１２１（図１参照）によってコール応答が生成される。そして、生成されたコール応答が、アンテナ２２（図１参照）を介して携帯電話端末Ｂに送信される（ステップＳ３３）。
【００４０】
続いて、携帯電話端末Ｃから携帯電話端末Ｂに対する発呼が行われ（ステップＳ３４）、発呼が受け入れられたか否かが判断される（ステップＳ３５）。発呼が受け入れられなかったばあいには処理は終了となる。発呼が受け入れられた場合には、三者通話モードへの移行処理が行われることにより、三者通話が開始される（ステップＳ３６）。
【００４１】
［実施の形態による効果］
上述した実施の形態によれば、携帯電話端末１同士を接触（あるいは近接）させることでＮＦＣによる通信が確立され、その通信を通してコール要求／コール応答がやりとりされることにより、自動的に三者通話が開始される。このためユーザは、相手の携帯電話端末１の電話番号の入力や、通話ボタンの押下等の操作を行うことなく、容易に三者通話を開始させることができるようになる。
【００４２】
また、上述した実施の形態によれば、三者通話への加入を要請された側の携帯電話端末１においても、ユーザは何の操作も行うことなく三者通話を行うことができるようになる。
【００４３】
［変形例］
なお、上述した実施の形態では、携帯電話端末Ｂ側で携帯電話端末Ｃからの呼び出しを受理した時点で三者通話が開始する例を挙げたが、携帯電話端末Ｂ側で、三者通話での通話を開始するか否かの選択肢をユーザに提示するようにしてもよい。
【００４４】
この場合の携帯電話端末１の表示画面での表示の例を、図８に示してある。図８に示した画面には、最上段に「090-XXXX-XXXXからの通話要求」の文字が表示されており、その下に、「拒絶」、「承認」、「承認（三者通話）」の３つの選択肢が表示されている。ここの「090-XXXX-XXXX」とは、図１や図４に示した例では携帯電話端末Ｃの電話番号となる。
【００４５】
この画面は、図４のステップＳ８で携帯電話端末Ｃからの呼び出しが行われた際に、制御部１２の制御によって表示されるものであり、携帯電話端末ＢのユーザＵｂは、携帯電話端末Ｃとの通話を開始させたく無い場合には「拒絶」を選択することで通話を終了させることができる。また、「承認」を選択することで、携帯電話端末ＣのユーザＵｃとの二者間での通話を開始させることができ、「承認（三者通話）」を選択することで、三者通話を開始させることができる。
【００４６】
また、上述した実施の形態では、ＮＦＣの規格に基づく無線通信によってデータをやりとりする例を挙げたが、これに限定されるものではない。例えばブルートゥース等の他の規格による無線通信を行う構成に、適用するようにしてもよい。
【符号の説明】
【００４７】
１…携帯電話端末、１１…アンテナ、１２…制御部、１３…無線電話用通信回路、１４…表示部、１５…操作部、１６…記憶部、１８…スピーカ、１９…マイクロフォン、２０…音声処理部、２１…ＮＦＣ通信回路、２２…アンテナ、２３…カードＩ／Ｆ部、２４…ＳＩＭカード、２５…制御ライン、２６…データライン、１２１…アプリケーション制御部、１２２…通信制御部
【図１】
2010206295.tif 000003
【図２】
2010206295.tif 000004
【図３】
2010206295.tif 000005
【図４】
2010206295.tif 000006
【図５】
2010206295.tif 000007
【図６】
2010206295.tif 000008
【図７】
2010206295.tif 000009
【図８】
2010206295.tif 000010